【事件の表示】
　平成１１年特許願第　１０８９５号「画像処理方法及び画像処理装置」拒絶査定不服審判事件〔平成１２年　７月２８日出願公開、特開２０００−２０６６２６〕について、次のとおり審決する。
【結　論】
　本件審判の請求は、成り立たない。
【理　由】
１．手続の経緯
　本願は、平成１１年１月１９日の出願であって、平成１５年９月５日付で拒絶査定がなされ、これに対し、同年１０月９日に拒絶査定に対する審判請求がなされるとともに、同年１１月７日付で手続補正がなされたものである。
　
２．平成１５年１１月７日付の手続補正についての補正却下の決定
〔補正却下の決定の結論〕
　平成１５年１１月７日付の手続補正（以下、「本件補正」という。）を却下する。
〔理由〕
（１）補正後の本願発明
　本件補正により、特許請求の範囲の請求項１は、
「【請求項１】
　写真フィルムの各コマの撮影画像を各コマ毎に焼付サイズに対応してカットされた感光材料に対して焼付処理する画像処理装置において、処理単位の写真フィルムの各コマの画像を予め読み取る画像読取手段と、各コマの画像を読み取ることにより予め各コマ毎の焼付サイズを検出するサイズ検出手段と、検出された各コマの焼付サイズと各コマの画像を読み取ることにより得た画像データに基づき設定された焼付条件とを記憶する記憶手段と、記憶手段に記憶されている焼付サイズデータから焼付サイズの異なるコマがあるか否かを判別する異サイズ判別手段と、焼付サイズの異なるコマがあるときには各コマを同一の焼付サイズ毎に前記設定された焼付条件で前記カットされた感光材料に対して焼付処理する焼付制御手段と、焼付処理された感光材料を現像処理する現像処理部と、焼付処理された感光材料を前記現像処理部に搬送する振分搬送手段とを備え、
　前記振分搬送手段は、焼付処理された感光材料が標準判である場合は当該感光材料を左右に振り分けて搬送すると共に、焼付処理された感光材料が標準判の幅寸法の倍の大きさのパノラマサイズ判である場合は当該感光材料を左右に振り分けることなく搬送するようにした振分搬送路と、この振分搬送路から受け取った感光材料を現像処理部に搬送する左右の搬送路を有し、前記標準判となる感光材料を左右の搬送路で並列して搬送すると共に、前記パノラマサイズ判となる感光材料を左右の搬送路に跨らせて搬送する並列搬送路とからなるものであることを特徴とする画像処理装置。」と補正された。
　
　上記補正は、平成１５年１月１４日付手続補正書の請求項６に、請求項１１、１２、１３の構成を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　
（２）引用例
　原査定の拒絶の理由に引用された引用文献１（特開平４−２６５９６７号公報）には、次の事項が記載されている。
「通常サイズプリント指定コマと、パノラマサイズプリント指定コマとが混在するフィルムの焼付方法において、前記フィルムを第１の方向に移送しながら通常サイズプリント指定コマかパノラマサイズプリント指定コマかを自動判別し、判別結果に基づいて通常サイズプリント指定コマのみを選択して通常サイズプリントを行うと共に通常サイズプリントが終了した時点でフィルムを第２の方向に移送して前記判別結果に基づいてパノラマサイズプリント指定コマを検索して、パノラマサイズプリントを行う」（第２頁左欄第９〜１８行）
　
「フルサイズとパノラマサイズとを同じ尺度で印画紙への焼付処理をする場合、フルサイズプリントコマを焼付けるときの引伸倍率よりもパノラマサイズプリントコマを焼付けるときの引伸倍率を大きくする必要があると共にネガフィルムのマスク領域及び印画紙の焼付範囲も異なってくる。」（第２頁右欄第１〜６行）
　
「【００１３】請求項２に記載の発明によれば、第１の方向へフィルムを移送中に標準サイズプリント指定コマかパノラマサイズプリント指定コマかを自動判別する」（第３頁左欄第３０〜３２行）
　
「図１には、本実施例の写真焼付方法を実施するための焼付装置の構成が示されている。」（第３頁右欄第５〜６行）
　
「ネガフィルム１８は、図２に示される如く、フルサイズプリントコマとパノラマサイズプリントコマとが混在する１本の長尺状のフィルムである。」（第３頁右欄第１９〜２１行）
　
「ネガフィルム１８は、ネガキヤリヤの両端に配置された送りローラ対２０、２２により、フイルサイズのプリントが行われる間は実線で示す順方向（図１の右方向）に、パノラマサイズプリントが行われる間は点線で示す逆方向（図１の左方向）にそれぞれ移送される。」（第３頁右欄第２５〜３０行）　
「送りローラ２０の左横には画面検出装置３０が配置されている。画面検出装置３０は、図２に示されているように、複数（本実施例では５個）の濃度センサ３２Ａ〜Ｅを備えている。濃度センサ３２Ａ〜Ｅは、フィルムの幅方向に並べられており、その両端の濃度センサ３２Ａ、３２Ｅは、パノラマサイズプリントコマのみに存在するベース部分に対応している。」（第３頁右欄第４４〜５０行）
　
「カラーペーパー４２はペーパーロール４８から引き出され、ガイドローラ４９を経て、パルスモータ５０で駆動される一対の引出しローラ対５１に達する。そして、ペーパーマスク４０の横に配置されたカッタ５２によって露光済の部分を切断して、写真現像装置（図示せず）に送るべく、再度ロール状に巻き取られるようになっている。」（第４頁左欄第９〜１５行）
　
「特性値抽出部５７は、スキャナー５６の出力信号に基づいてコマ毎に平均透過濃度、最小濃度等の特性値を色毎に抽出する。露光量演算部５８は、これらの特性値を用いて露光量を算出し、これを後述するコントローラ６１に送る。」（第４頁左欄第２６〜３０行）
　
「【００２８】
　次に、図３を参照して上記実施例の作用について説明する。
　まず、ネガフィルム１８をフィルムキヤリア１６にせットし、プリントスタートボタン（図示せず）を押すと、ステツプ１００において、コントローラ６１の制御によりネガフィルム１８の順方向への移送が始まる。ステツプ１０２では、フィルム終端か否かを判別し、否定判定の場合は、ステツプ１０４へ移行する。
ステツプ１０４では、濃度センサ３２Ａ〜Ｅでコマの濃度を検出し、画面位置とフルサイズかパノラマサイズかを判定し、次いでステツプ１０６でその判定結果を記憶する。
【００２９】
　ステツプ１０８では、判定結果がフルサイズプリントコマか否かが判断され、フルサイズプリントコマの場合は、ステツプ１１０へ移行して、ネガフィルム１８の搬送を停止させる。また、パノラマサイズプリントコマであると判定された場合は、ステツプ１０２へ移行して、搬送を継続する。
【００３０】
　次に、ステツプ１１２では、光源１０から照射された焼付光が、色フィルタ１２Ａ、１２Ｂ、１２Ｃ、拡散箱１５と透過した後に、ネガフィルム１８を照射する。そして、スキャナー５６によってネガフィルム１８のコマを透過した光を検出し、露光量演算部５８で露光量を算出した後、コントローラ６１に送る。
【００３１】
　プリント位置にセットされたコマがフルサイズプリントコマの場合には、コントローラ６１は露光量に応じて色フィルタ１２Ａ、１２Ｂ、１２Ｃの光路への挿入量を調整する。この調整後に、シャッタ５４を一定時間開、ズームレンズ３８によってネガフィルム１８上の最初のコマをカラーペーパー４２上にフルサイズでプリントする（ステツプ１１４）。この際、ズームレンズ３８は標準倍率に固定し、ペーパーマスク４０は標準範囲の位置にセットしておく。
【００３２】
　その後、上述と同様にネガフィルム１８をモータ２４の駆動によって右方向に１コマずつ移送しながらフルサイズプリントコマに対してのみプリントを行うと共に、パノラマサイズプリントコマをパスしてフルサイズプリントコマのみのプリントを行う。
【００３３】
　このフルサイズプリント工程時にステツプ１０２で終端検出センサ２８がネガフィルム１８の終端を検出した時に、ステツプ１１５へ移行して、パノラマサイズコマが１本のネガフィルム中にない場合、処理は終了する。また、パノラマサイズコマが１コマでもあればステツプ１１６へ移行して、パノラマサイズプリントコマに対応した条件に引伸倍率、ペーパ送り量等のパノラマサイズプリント条件を設定し、ステツプ１１８へ移行する。
【００３４】
　次に、ステツプ１１８では、ネガフィルム１８を逆方向に移送する。次のステツプ１２０では、フィルムの先端を検出したか否かが判断され、否定判定の場合はステツプ１２２へ移行して記憶されたステツプ１０４での判定結果を読み出し、ステツプ１２４で焼付位置の２コマ前のコマがパノラマサイズプリントコマか否かを判定する。ステツプ１２４でパノラマサイズプリントコマと判定された場合は、ステツプ１２６へ移行して最初のパノラマサイズプリントコマをプリント位置にセットする。そして、ステツプ１２８で露光量を演算し、この演算結果に応じて色フィルター１２Ａ、１２Ｂ、１２Ｃを調整する。この直後に、シャッタ５４を開いてパノラマサイズプリントを行う（ステツプ１３０）。
【００３５】
　その後、モータ２４の駆動により、パノラマサイズプリントを行うコマを次々にプリント位置にセットし、同様な動作によりトリンミングプリントを繰り返し、ステツプ１２０で終端検出センサ２８がネガフィルム１８の先端を検出した時点で全てのプリント作業を終了する。」（第４頁右欄第８行〜第５頁左欄第２２行）
　
「本発明は印画紙現像機がプリンタと結合したプリンタプロセッサに対して適用してもよい。」（第５頁右欄第２０〜２１行）
　
前記記載事項と図面の記載からみて、引用文献１には、
「ネガフィルムの各コマの撮影画像を各コマ毎に焼付サイズに対応した大きさでカラーペーパーに対して焼付処理する焼付装置において、フルサイズプリントコマとパノラマサイズプリントコマとが混在する１本の長尺状のネガフィルムの各コマの濃度を検出する画面検出装置３０、各コマの濃度を検出することにより各コマ毎のフルサイズかパノラマサイズかを判定する手段と、フルサイズかパノラマサイズかの判定結果を記憶する手段と、スキャナー５６によってネガフィルム１８のコマを透過した光を検出し、スキャナー５６の出力信号に基づいてコマ毎に平均透過濃度、最小濃度等の特性値を色毎に抽出し、これらの特性値を用いて露光量を算出する露光量演算部５８とを備え、ステツプ１０８では、判定結果がフルサイズプリントコマか否かが判断され、フルサイズプリントコマの場合は、ステツプ１１０へ移行して、ネガフィルム１８の搬送を停止させ、ステップ１１２で露光量演算し、ステップ１１４でプリントし、また、パノラマサイズプリントコマであると判定された場合は、ステツプ１０２へ移行して、搬送を継続し、このフルサイズプリント工程時にステツプ１０２で終端検出センサ２８がネガフィルム１８の終端を検出した時に、ステツプ１１５へ移行して、パノラマサイズコマが１本のネガフィルム中にない場合、処理は終了し、また、パノラマサイズコマが１コマでもあればステツプ１１６へ移行し、パノラマサイズプリント条件を設定し、ステップ１２８で露光量演算し、ステップ１３０でプリントすることを特徴とする焼付装置。」（以下、「引用発明１」という。）が記載されている。
　
　特開平６−３５１６２号公報（以下、「引用文献２」という。）には、次の事項が記載されている。
「図１はこの発明に係る写真処理装置の実施例のシステム全体を示す断面図である。・・・焼付装置１では・・・長尺の印画紙を、・・・送り出し、プリントサイズの長さによって・・・送りを停止し、カッター６で切断する。・・・そして原稿フィルム９を通して光源10で照明された光像をレンズ８をもって該印画紙に結像し、焼付露光・・・する。・・・次に焼付露光済みの印画紙は、振分け手段２に搬入され、振分け制御手段をもって振分け列数が決められ、振分け部11で振分けが行われる。振分け部11に搬入された印画紙は、ガイド22に係合して搬送を停止し、ガイド22を図１の紙面に垂直方向の移動により、上記係合した印画紙Ｐ１を奥側に片寄せてのち再び搬送を再開すると、印画紙Ｐ１は次のローラ対12に受け渡されローラ対12の駆動によって下方へと挟持搬送される。・・・ローラ対12による挟持搬送により、印画紙Ｐ１はローラ対13,14間に押し込まれ、・・・この実施例では２列であるためローラ対13,14は図１の紙面に垂直方向に関し２列に分割してあり、・・・次に、第２に振分け部11に入った印画紙Ｐ２は、上記片寄せ後中央に復帰しているガイド22に係合して、手前に片寄せられ、再び搬送を再開すると印画紙Ｐ２は次のローラ対12に受け渡され、ローラ対12の駆動によって下方へと挟持搬送される。・・・このようにして２列となった印画紙Ｐ１,Ｐ２は・・・自動現像機３に・・・挿入される。
【００２６】自動現像機３で現像処理を終えた印画紙Ｐ１,Ｐ２は排出ローラ27によってトレー16に排出される。」（第３頁右欄第２５行〜第４頁左欄第３０行）
　
「複数列に分割したローラを搬送再開にあたり一斉に回転するにはローラ対13,14それぞれに１軸で、回転する駆動ローラを外周に接触駆動することにより実施している。」（第４頁左欄第４３〜４６行）
　
　前記記載事項と図面の記載からみて、引用文献２には、「原稿フィルム９を、プリントサイズの長さによって切断された印画紙に対して焼付露光する写真処理装置において、前記切断された印画紙に対して焼付露光する焼付装置１と、焼付露光された印画紙を現像処理する自動現像機３と、焼付露光された印画紙を前記自動現像機３に搬送する振分け手段２とを備え、前記振分け手段２は、焼付露光された印画紙を奥側および手前側に振分けて搬送する振分け部１１と、この振分け部１１から受け取った印画紙を自動現像機３に２列で搬送する２列のローラ対１３，１４とからなるものであることを特徴とする写真処理装置。」が記載されている。
　
　引用文献２における「原稿フィルム」、「プリントサイズの長さによって切断された印画紙」、「焼付露光」、「写真処理装置」、「前記切断された印画紙」、「焼付装置１」、「印画紙」、「自動現像機３」、「振分け手段２」、「奥側および手前側に」、「振分け」、「振分け部１１」、「２列で」及び「２列のローラ対１３，１４」は、本願補正発明における「写真フィルムの撮影画像」、「焼付サイズに対応してカットされた感光材料」、「焼付処理」、「画像処理装置」、「前記カットされた感光材料」、「焼付制御手段」、「感光材料」、「現像処理部」、「振分搬送手段」、「左右に」、「振り分け」、「振分搬送路」、「並列して」及び「並列搬送路」にそれぞれ相当するので、
　引用文献２に記載されていることを、本願補正発明の言葉で言い替えると、「写真フィルムの撮影画像を焼付サイズに対応してカットされた感光材料に対して焼付処理する画像処理装置において、前記カットされた感光材料に対して焼付処理する焼付制御手段と、焼付処理された感光材料を現像処理する現像処理部と、焼付処理された感光材料を前記現像処理部に搬送する振分搬送手段とを備え、前記振分搬送手段は、焼付処理された感光材料を左右に振り分けて搬送する振分搬送路と、この振分搬送路から受け取った感光材料を現像処理部に並列して搬送する並列搬送路とからなるものであることを特徴とする画像処理装置。」（以下、「引用発明２」という。）が記載されている。
　
（３）対比
　引用発明１における「ネガフィルム」、「カラーペーパー」、「焼付装置」、「フルサイズプリントコマとパノラマサイズプリントコマとが混在する１本の長尺状のネガフィルム」、「濃度を検出する画面検出装置３０、及びネガフィルム１８のコマを透過した光を検出するスキャナー５６」、「各コマの濃度を検出することにより各コマ毎のフルサイズかパノラマサイズかを判定する手段」及び「フルサイズかパノラマサイズかの判定結果を記憶する手段」は、
　本願補正発明における「写真フィルム」、「感光材料」、「焼付処理する画像処理装置」、「処理単位の写真フィルム」、「画像を読み取る画像読取手段」、「各コマの画像を読み取ることにより予め各コマ毎の焼付サイズを検出するサイズ検出手段」及び「検出された各コマの焼付サイズを記憶する記憶手段」にそれぞれ相当する。
　引用発明１の「スキャナー５６によってネガフィルム１８のコマを透過した光を検出し、スキャナー５６の出力信号に基づいてコマ毎に平均透過濃度、最小濃度等の特性値を色毎に抽出し、これらの特性値を用いて露光量を算出する露光量演算部５８とを備え」の記載、及び本願補正発明の「各コマの画像を読み取ることにより得た画像データに基づき設定された焼付条件」の記載から、両者は「各コマの画像を読み取ることにより得た画像データに基づき焼付条件が設定され」る点で一致する。
　引用発明１も、ステップ１０８で判定結果がフルサイズコマかどうか判断されており、パノラマサイズコマが１コマでもあれば、ステップ１１６へ移行するので、「記憶手段に記憶されている焼付サイズデータから焼付サイズの異なるコマがあるか否かを判別する異サイズ判別手段」を備えることは、明らかである。
　さらに、まずフルサイズプリントコマのプリントを行い、次にフィルムを戻しながら、パノラマサイズプリントコマのプリントをそれぞれの露光量に応じて、プリントするのであるから、「焼付サイズの異なるコマがあるときには各コマを同一の焼付サイズ毎に前記設定された焼付条件で感光材料に対して焼付処理する焼付制御手段」を備えることは明らかである。
　本願補正発明と引用発明１とを対比すると、
「写真フィルムの各コマの撮影画像を各コマ毎に焼付サイズに対応した大きさで感光材料に対して焼付処理する画像処理装置において、処理単位の写真フィルムの各コマの画像を読み取る画像読取手段と、各コマの画像を読み取ることにより予め各コマ毎の焼付サイズを検出するサイズ検出手段と、検出された各コマの焼付サイズを記憶する記憶手段と、各コマの画像を読み取ることにより得た画像データに基づき焼付条件が設定され、記憶手段に記憶されている焼付サイズデータから焼付サイズの異なるコマがあるか否かを判別する異サイズ判別手段と、焼付サイズの異なるコマがあるときには各コマを同一の焼付サイズ毎に前記設定された焼付条件で感光材料に対して焼付処理する焼付制御手段とからなるものであることを特徴とする画像処理装置。」で両者の構成は一致し、次の点で両者の構成は相違する。
　
相違点（Ａ）：
　焼付処理される感光材料が、本願補正発明は、カットされているのに対して、引用発明１は、長尺状である点。
　
相違点（Ｂ）：
　本願補正発明は、焼付サイズ及び焼付条件を求めるための画像読取手段は各コマの画像を予め読み取り、かつ、前記焼付条件を記憶する記憶手段を設けているのに対して、引用発明１は、焼付サイズを求めるための画面検出装置３０は各コマの画像を予め読み取るが、焼付条件を求めるためのスキャナー５６は各コマの画像の読み取りが予めではなく、かつ、そのような記憶手段を有していない点。
　
相違点（Ｃ）：
　本願補正発明は、焼付処理された感光材料を現像処理する現像処理部と、焼付処理された感光材料を前記現像処理部に搬送する振分搬送手段とを備え、前記振分搬送手段は、焼付処理された感光材料が標準判である場合は当該感光材料を左右に振り分けて搬送すると共に、焼付処理された感光材料が標準判の幅寸法の倍の大きさのパノラマサイズ判である場合は当該感光材料を左右に振り分けることなく搬送するようにした振分搬送路と、この振分搬送路から受け取った感光材料を現像処理部に搬送する左右の搬送路を有し、前記標準判となる感光材料を左右の搬送路で並列して搬送すると共に、前記パノラマサイズ判となる感光材料を左右の搬送路に跨らせて搬送する並列搬送路とからなるものであるのに対して、引用発明１は、そのことについての記載がない点。
　
（４）判断
相違点（Ａ）について：
　焼付処理される感光材料がカットされている点は、引用発明２に記載されており、この点を引用発明１の感光材料に採用して相違点（Ａ）における本願補正発明のような構成としたことに格別の困難性は認められない。
　
相違点（Ｂ）について：
　各コマの画像を予め読み取り、かつ、記憶手段を設けて、情報を記憶してから使用することは、周知技術（例えば、特開平５−１１９４０５号公報参照。）であるので、本願補正発明のように、各コマの画像を予め読み取って焼付条件を求め、かつ、それを記憶する記憶手段を設けることは、当業者にとって容易である。
　
相違点（Ｃ）について：
　振分搬送手段は、引用発明２に記載されている。
　焼付処理された感光材料が標準判である場合は当該感光材料を左右に振り分けて搬送すると共に、焼付処理された感光材料が標準判の幅寸法の倍の大きさのパノラマサイズ判である場合は当該感光材料を左右に振り分けることなく搬送するようにした点は、直接的記載はないが、「振分け制御手段をもって振分け列数が決められ」の記載から、サイズの大小によって、左右に振り分けるか、振り分けることなく並列搬送路に跨らせて搬送するかは、当業者が必要に応じてなし得る設計事項である。
　したがって、引用発明１において、相違点（Ｃ）における本願補正発明のような構成とすることに格別の困難性は認められない。
　
　前記相違点（Ａ）〜（Ｃ）における本願補正発明の構成による効果は、引用発明１及び引用発明２並びに周知技術から予測される範囲のものである。
　
　したがって、本願補正発明は、引用文献１及び引用文献２に記載された発明並びに周知技術に基づいて、当業者が容易に発明をすることができたものであるから、特許法第２９条第２項の規定により特許出願の際独立して特許を受けることができないものである。
　
（５）むすび
　以上のとおり、本件補正は、平成１５年改正前特許法第１７条の２第５項で準用する同法第１２６条第４項の規定に違反するものであり、同法第１５９条第１項で読み替えて準用する同法第５３条第１項の規定により却下されるべきものである。
　
３．本願発明について
　平成１５年１１月７日付の手続補正は上記のとおり却下されたので、本願の請求項１〜１４に係る発明は、平成１５年１月１４日付手続補正書の特許請求の範囲の請求項１〜１４に記載された事項により特定されるとおりのものであり、請求項６に係る発明（以下、「本願発明」という。）は次のとおりのものである。
「【請求項６】　
　写真フィルムの各コマの撮影画像を各コマ毎に感光材料に対して焼付処理する画像処理装置において、処理単位の写真フィルムの各コマの画像を予め読み取る画像読取手段と、各コマの画像を読み取ることにより予め各コマ毎の焼付サイズを検出するサイズ検出手段と、検出された各コマの焼付サイズと各コマの画像を読み取ることにより得た画像データに基づき設定された焼付条件とを記憶する記憶手段と、記憶手段に記憶されている焼付サイズデータから焼付サイズの異なるコマがあるか否かを判別する異サイズ判別手段と、焼付サイズの異なるコマがあるときには各コマを同一の焼付サイズ毎に前記設定された焼付条件で焼付処理する焼付制御手段とを備えたことを特徴とする画像処理装置。」
　
（１）引用例
　原査定の拒絶の理由に引用された引用文献１及びその記載事項は、前記「２．（２）」に記載したとおりである。
　
（２）対比
　本願発明と引用発明１とを対比すると、「写真フィルムの各コマの撮影画像を各コマ毎に感光材料に対して焼付処理する画像処理装置において、処理単位の写真フィルムの各コマの画像を読み取る画像読取手段と、各コマの画像を読み取ることにより予め各コマ毎の焼付サイズを検出するサイズ検出手段と、検出された各コマの焼付サイズを記憶する記憶手段と、各コマの画像を読み取ることにより得た画像データに基づき焼付条件が設定され、記憶手段に記憶されている焼付サイズデータから焼付サイズの異なるコマがあるか否かを判別する異サイズ判別手段と、焼付サイズの異なるコマがあるときには各コマを同一の焼付サイズ毎に前記設定された焼付条件で焼付処理する焼付制御手段とを備えたことを特徴とする画像処理装置。」で両者の構成は一致し、次の点で両者の構成は相違する。
　
相違点：
　本願発明は、焼付サイズ及び焼付条件を求めるための画像読取手段は各コマの画像を予め読み取り、かつ、前記焼付条件を記憶する記憶手段を設けているのに対して、引用発明１は、焼付サイズを求めるための画面検出装置３０は各コマの画像を予め読み取るが、焼付条件を求めるためのスキャナー５６は各コマの画像の読み取りが予めではなく、かつ、そのような記憶手段を有していない点。
　
（３）判断
相違点について：
　各コマの画像を予め読み取り、かつ、記憶手段を設けて、情報を記憶してから使用することは、周知技術（例えば、特開平５−１１９４０５号公報参照。）であるので、本願発明のように、各コマの画像を予め読み取って焼付条件を求め、かつ、それを記憶する記憶手段を設けることは、当業者にとって容易である。
　
　そして、前記相違点における本願発明の構成による効果は、引用発明１及び周知技術から予測される範囲のものである。
　
（４）むすび　
　したがって、本願発明は、引用文献１に記載された発明及び周知技術に基づいて、当業者が容易に発明をすることができたものであるから、特許法第２９条第２項の規定により特許を受けることができない。
　よって、結論のとおり審決する。